(57)【要約】【課題】意匠性及び密封性を向上させた照明器具を提供する。【解決手段】実施形態によれば、光源ユニットと器具本体と枠体とグローブと開口封止部材と複数の取付部材とを備えた照明器具が提供される。光源ユニットは、基板上に設けられた発光素子を有する。器具本体は、底板部と、底板部の両端から延び互いに対向する一対の側板部と、各側板部の端部により形成される開口部と、を有する箱状であり、内部に光源ユニットを収容する。枠体は、一対の側板部と対向する一対の対向部を有し、開口部に着脱可能に取り付けられる。グローブは、枠体に取り付けられ、器具本体内に設けられた光源ユニットから出射された光を透過させる光透過性である。開口封止部材は、枠体と器具本体との間に位置し、枠体と器具本体との間の隙間を埋める。複数の取付部材は、各側板部と各対向部とに挿通され、枠体を器具本体に取り付ける。【選択図】図１
2015204268.tif 000002
【特許請求の範囲】
【請求項１】
基板と、前記基板上に設けられた発光素子と、を有する光源ユニットと、
底板部と、前記底板部の両端から延び互いに対向する一対の側板部と、前記一対の側板部の端部により形成される開口部と、を有する箱状であり、内部に前記光源ユニットを収容する器具本体と、
前記一対の側板部のそれぞれと対向する一対の対向部を有し、前記器具本体の前記開口部に着脱可能に取り付けられる枠体と、
前記枠体に取り付けられ、前記器具本体内に設けられた前記光源ユニットから出射された光を透過させる光透過性のグローブと、
前記枠体と前記器具本体との間に位置し、前記枠体と前記器具本体との間の隙間を埋める開口封止部材と、
前記器具本体の前記一対の側板部と前記枠体の前記一対の対向部とに挿通され、前記枠体を前記器具本体に取り付ける複数の取付部材と、
を備えた照明器具。
【請求項２】
前記器具本体内に設けられ、前記光源ユニットを覆う光透過性のカバーをさらに備えた請求項１記載の照明器具。
【請求項３】
前記光源ユニットと前記カバーとをともに前記器具本体に保持する保持部材をさらに備えた請求項２記載の照明器具。
【請求項４】
前記器具本体の外面に取り付けられ、第１接続端子を有し、入力電力を前記光源ユニットに応じた電力に変換し、変換後の電力を前記第１接続端子に出力する電源ユニットと、
配線部材と、前記配線部材の一端に設けられ前記第１接続端子に接続される第１被接続端子と、前記配線部材の他端に設けられた第２被接続端子と、を有する中継ケーブルと、
をさらに備え、
前記器具本体は、貫通孔を有し、
前記中継ケーブルは、前記貫通孔に挿通され、前記第１被接続端子を前記器具本体の外側に位置させ、前記第２被接続端子を前記器具本体内に位置させた状態で前記器具本体に保持され、
前記光源ユニットは、前記第２被接続端子に接続される第２接続端子を有し、前記中継ケーブルを介して前記電源ユニットと電気的に接続される請求項１〜３のいずれか１つに記載の照明器具。
【請求項５】
前記貫通孔と前記配線部材との間の隙間を埋め、前記中継ケーブルを前記器具本体に保持する孔封止部材をさらに備えた請求項４記載の照明器具。
【発明の詳細な説明】
【技術分野】
【０００１】
本発明の実施形態は、照明器具に関する。
【背景技術】
【０００２】
開口部を有する箱状の器具本体と、器具本体の内部に設けられた光源と、器具本体の開口部に取り付けられた枠体と、枠体に取り付けられ、器具本体内に設けられた光源を覆うグローブと、を備えた照明器具がある。光源には、蛍光灯などが用いられている。枠体は、ヒンジを介して回動自在に器具本体に取り付けられ、ヒンジと反対側の端部でネジ止めすることにより、器具本体に保持される。これにより、光源を交換する際の作業性を向上させている。
【０００３】
また、照明器具では、器具本体と枠体との間にパッキングなどを設け、器具本体と枠体との間に空く隙間を塞ぐことが行われている。これにより、虫や塵埃などが器具本体内に入り込んでしまうことを抑制することができる。
【０００４】
しかしながら、ヒンジを介して枠体を器具本体に取り付ける構成では、枠体を器具本体に保持させるネジが、外部に露出してしまう。こうしたネジの露出は、照明器具の意匠性を損なわせてしまう。また、ヒンジを介して枠体を器具本体に取り付ける構成では、パッキングの押圧力に偏りが生じ、器具本体と枠体との間の隙間を適切に塞ぐことができない場合がある。このため、照明器具では、意匠性及び密封性の向上が望まれる。
【先行技術文献】
【特許文献】
【０００５】
【特許文献１】特開２０１２−６９２６４号公報
【発明の概要】
【発明が解決しようとする課題】
【０００６】
本発明の実施形態は、意匠性及び密封性を向上させた照明器具を提供する。
【課題を解決するための手段】
【０００７】
本発明の実施形態によれば、光源ユニットと、器具本体と、枠体と、グローブと、開口封止部材と、複数の取付部材と、を備えた照明器具が提供される。前記光源ユニットは、基板と、前記基板上に設けられた発光素子と、を有する。前記器具本体は、底板部と、前記底板部の両端から延び互いに対向する一対の側板部と、前記一対の側板部の端部により形成される開口部と、を有する箱状であり、内部に前記光源ユニットを収容する。前記枠体は、前記一対の側板部のそれぞれと対向する一対の対向部を有し、前記器具本体の前記開口部に着脱可能に取り付けられる。前記グローブは、前記枠体に取り付けられ、前記器具本体内に設けられた前記光源ユニットから出射された光を透過させる光透過性である。前記開口封止部材は、前記枠体と前記器具本体との間に位置し、前記枠体と前記器具本体との間の隙間を埋める。前記複数の取付部材は、前記器具本体の前記一対の側板部と前記枠体の前記一対の対向部とに挿通され、前記枠体を前記器具本体に取り付ける。
【発明の効果】
【０００８】
意匠性及び密封性を向上させた照明器具が提供される。
【図面の簡単な説明】
【０００９】
【図１】図１（ａ）及び図１（ｂ）は、実施形態に係る照明器具を模式的に表す斜視図である。
【図２】実施形態に係る照明器具を模式的に表す断面図である。
【図３】図３（ａ）及び図３（ｂ）は、実施形態に係る照明器具の一部を拡大して模式的に表す部分断面図である。
【図４】実施形態に係る照明器具の一部を拡大して模式的に表す部分断面図である。
【図５】図５（ａ）及び図５（ｂ）は、実施形態に係る照明器具を表す模式図である。
【発明を実施するための形態】
【００１０】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１１】
図１（ａ）及び図１（ｂ）は、実施形態に係る照明器具を模式的に表す斜視図である。  図１（ａ）及び図１（ｂ）に表したように、照明器具１０は、光源ユニット１２と、器具本体１４と、枠体１６と、グローブ１８と、開口封止部材２０と、を備える。
【００１２】
照明器具１０は、鉄道車両の天井に取り付けて用いられる。照明器具１０は、例えば、鉄道車両の客室、トイレ、又は、貫通路などの照明として用いられる。照明器具１０は、例えば、建築物に取り付け、室内灯や屋外灯などとして用いてもよい。
【００１３】
光源ユニット１２は、電力の供給に応じて光を放出する。この例において、光源ユニット１２は、長尺状である。光源ユニット１２は、例えば、直管型の蛍光灯に置き換えて用いられる。光源ユニット１２の形状は、長尺状に限ることなく、任意の形状でよい。
【００１４】
器具本体１４は、開口部１４ａを有する箱状である。器具本体１４は、内部に光源ユニット１２を収容する。光源ユニット１２は、器具本体１４に着脱可能に取り付けられる。すなわち、光源ユニット１２は、交換可能である。器具本体１４は、光源ユニット１２から放出された光を開口部１４ａから出射させる。
【００１５】
この例では、２つの光源ユニット１２が、器具本体１４内に設けられている。すなわち、この例において、照明器具１０は、いわゆる２灯型の照明器具である。照明器具１０は、１灯型でもよい。すなわち、照明器具１０に設けられる光源ユニット１２の数は、１つでもよい。光源ユニット１２の数は、これに限ることなく、３つ以上でもよい。
【００１６】
器具本体１４は、直方体状である。器具本体１４は、長尺状の２つの光源ユニット１２を短手方向に並べて収容する。器具本体１４の形状は、直方体状に限ることなく、光源ユニット１２を収容可能な任意の形状でよい。
【００１７】
枠体１６は、器具本体１４の開口部１４ａに着脱可能に取り付けられる。図１（ａ）は、枠体１６を器具本体１４に取り付けた状態を模式的に表している。図１（ｂ）は、枠体１６を器具本体１４から取り外した状態を模式的に表している。
【００１８】
枠体１６は、開口部１６ａを有する。枠体１６は、例えば、四角環状である。枠体１６の形状は、器具本体１４の形状に応じた任意の形状でよい。また、枠体１６には、複数の貫通孔１６ｂが設けられている。各貫通孔１６ｂは、照明器具１０を鉄道車両の天井などに取り付ける際に用いられる。より具体的には、照明器具１０の取り付けの際に、工具を挿通するための挿通孔として用いられる。この例では、６個の貫通孔１６ｂが設けられている。貫通孔１６ｂの数は、上記に限ることなく、任意の数でよい。
【００１９】
器具本体１４及び枠体１６には、例えば、鉄、アルミニウム、又は、ステンレスなどの金属材料が用いられる。器具本体１４及び枠体１６は、光源ユニット１２から放出される光に対して光反射性である。器具本体１４には、例えば、白色の塗装が施される。これにより、例えば、光の反射率を高めることができる。例えば、発光効率を高めることができる。
【００２０】
グローブ１８は、枠体１６に取り付けられ、器具本体１４内に設けられた光源ユニット１２を覆う。グローブ１８は、光源ユニット１２から放出される光に対して光透過性である。グローブ１８は、光源ユニット１２から出射された光を透過させる。グローブ１８は、例えば、光拡散性をさらに有してもよい。グローブ１８は、例えば、器具本体１４内に設けられた光源ユニット１２側から枠体１６に取り付けられ、枠体１６の開口部１６ａを塞ぐ。グローブ１８は、無機材料からなる繊維、例えば、ガラス繊維により形成された布帛、すなわちガラスクロスにシリコーン樹脂を含浸させた部材と、透明で板状の樹脂、例えば、アクリルやポリカーボネートとにより形成されても良い。グローブ１８が、シリコーン樹脂を含浸させたガラスクロスと透明平板樹脂とからなる場合、シリコーン樹脂を含浸させたガラスクロスが器具本体１４内に設けられた光源ユニット１２側に設けられる。枠体１６及びグローブ１８は、器具本体１４の開口部１４ａを塞ぐ。これにより、枠体１６及びグローブ１８は、器具本体１４内への虫や塵埃などの侵入を抑制する。
【００２１】
開口封止部材２０は、枠体１６が器具本体１４に取り付けられた状態において枠体１６と器具本体１４との間に位置する。開口封止部材２０は、例えば、開口部１４ａの縁を囲む環状である。この例において、開口封止部材２０は、四角環状である。開口封止部材２０の形状は、開口部１４ａの形状に応じた任意の形状でよい。開口封止部材２０は、枠体１６と器具本体１４との間の隙間を埋める。これにより、例えば、器具本体１４内への虫や塵埃などの侵入をより適切に抑制することができる。
【００２２】
開口封止部材２０は、例えば、弾性を有する。開口封止部材２０は、枠体１６が器具本体１４に取り付けられた状態において枠体１６と器具本体１４との間に挟まれ、弾性変形する。これにより、例えば、枠体１６と器具本体１４との間の隙間をより適切に埋めることができる。例えば、器具本体１４の密封性を高めることができる。開口封止部材２０には、例えば、シリコーン樹脂が用いられる。開口封止部材２０は、いわゆるパッキングである。
【００２３】
開口封止部材２０は、器具本体１４に取り付けられている。開口封止部材２０は、例えば、器具本体１４に接着されている。開口封止部材２０は、枠体１６に取り付けてもよい。また、開口封止部材２０は、独立した部材として器具本体１４と枠体１６との間に挟み込むようにしてもよい。但し、上記のように、器具本体１４又は枠体１６に開口封止部材２０を取り付ける。これにより、例えば、照明器具１０の組み立ての作業性を向上させることができる。
【００２４】
器具本体１４は、底板部３０と、側板部としての一対の第１側板部３１および一対の第２側板部３２と、を有する。この例において、底板部３０は、長方形状である。底板部３０の形状は、これに限ることなく、任意の形状でよい。底板部３０は、内底面３０ａを有する。内底面３０ａは、底板部３０において、器具本体１４の内側面である。各光源ユニット１２は、底板部３０の内底面３０ａに取り付けられている。
【００２５】
各第１側板部３１は、底板部３０の長手方向に延びる両端から延び、互いに対向する。各第２側板部３２は、底板部３０の短手方向に延びる両端から延び、互いに対向する。各第１側板部３１及び各第２側板部３２は、内底面３０ａの向く方向に延びる。各第１側板部３１及び各第２側板部３２は、例えば、内底面３０ａに対して垂直な方向に延びる。各第１側板部３１及び各第２側板部３２は、内底面３０ａに対して傾斜していてもよい。すなわち、各第１側板部３１及び各第２側板部３２は、内底面３０ａに対して垂直な方向に延びる成分を有していればよい。開口部１４ａは、各第１側板部３１の内底面３０ａと反対側の端部及び各第２側板部３２の内底面３０ａと反対側の端部により形成される。
【００２６】
図２は、実施形態に係る照明器具を模式的に表す断面図である。  
図２は、図１（ａ）のＡ１−Ａ２線断面を模式的に表す。  
図２に表したように、各第１側板部３１には、段差部３１ａが設けられている。各段差部３１ａは、器具本体１４の外側に向けて屈曲する。換言すれば、各段差部３１ａは、各第１側板部３１間の距離を底板部３０の幅よりも広げるように屈曲する。
【００２７】
各第２側板部３２の底板部３０と反対側の端部３２ａは、器具本体１４の内側に向かって屈曲している。各端部３２ａの高さ方向の位置は、各段差部３１ａの高さ方向の位置と実質的に同じである。
【００２８】
これにより、器具本体１４は、各段差部３１ａと各端部３２ａとによって、内底面３０ａと実質的に平行な四角環状の面を形成する。開口封止部材２０は、各段差部３１ａと各端部３２ａとに取り付けられる。この例では、この四角環状の面の縁部分が、開口部１４ａとなる。
【００２９】
また、各第１側板部３１の底板部３０と反対側の端部には、フランジ部３１ｂが設けられている。各フランジ部３１ｂは、器具本体１４の外側に向かって屈曲している。照明器具１０は、例えば、各フランジ部３１ｂの底板部３０側を向く面を、天井面や天井に設けられた取付金具などに接触させた状態で、鉄道車両に取り付けられる。
【００３０】
各フランジ部３１ｂには、貫通孔３１ｃが設けられている。各貫通孔３１ｃは、枠体１６の各貫通孔１６ｂと対向する位置に設けられる。すなわち、この例では、各フランジ部３１ｂのそれぞれに３つずつ、計６つの貫通孔３１ｃが設けられる。各貫通孔３１ｃには、例えば、ネジなどの取付部材が挿通される。
【００３１】
このように、照明器具１０は、例えば、各フランジ部３１ｂを天井面に接触させ、各貫通孔３１ｃにネジを挿通してネジ止めすることにより、鉄道車両の天井などに取り付けられる。照明器具１０の取付方法は、ネジ止めに限ることなく、照明器具１０を着脱可能で、かつ、鉄道車両の走行時の振動などに耐え得る任意の方法でよい。
【００３２】
枠体１６は、一対の第１側板部３１のそれぞれと対向する一対の対向部３４を有する。各対向部３４は、例えば、板状の枠本体１６ｍに対して垂直な方向に延びる板状の部材である。枠本体１６ｍは、例えば、四角環状の板状の部材である。
【００３３】
各対向部３４は、各第１側板部３１の間に入り込む。各対向部３４は、各第１側板部３１の内側を向く面と対向する。各対向部３４間における外形寸法は、各第１側板部３１間の空間の寸法と実質的に同じである。換言すれば、各対向部３４の外側を向く面同士の間の距離は、各第１側板部３１の内側を向く面同士の間の距離と実質的に同じである。すなわち、各対向部３４は、各第１側板部３１の間に嵌る。
【００３４】
枠体１６は、一対の第２側板部３２のそれぞれと対向する別の一対の対向部３５をさらに有する。各対向部３５は、各対向部３４と同様に、各第２側板部３２の間に嵌る。
【００３５】
各対向部３４の枠本体１６ｍと反対側の端部３４ａは、内側に向けて折り曲げられている。同様に、各対向部３５の枠本体１６ｍと反対側の端部３５ａは、内側に向けて折り曲げられている。各端部３５ａの高さ方向の位置は、各端部３４ａの高さ方向の位置と実質的に同じである。これにより、枠体１６は、各端部３４ａ、３５ａによって、枠本体１６ｍと実質的に平行な面を形成する。
【００３６】
枠体１６は、各端部３４ａ、３５ａを開口封止部材２０に接触させる。このように、この例では、開口封止部材２０が、各段差部３１ａと各端部３４ａとの間、及び、各端部３２ａと各端部３５ａとの間に設けられる。これにより、例えば、開口封止部材２０に実質的に均等な押圧力を加えることができる。
【００３７】
この例では、各対向部３４が、各第１側板部３１の内側において、各第１側板部３１と対向する。これに限ることなく、各対向部３４は、各第１側板部３１の外側において、各第１側板部３１と対向してもよい。すなわち、各第１側板部３１が、各対向部３４の間に嵌るようにしてもよい。同様に、各第２側板部３２が、各対向部３５の間に嵌るようにしてもよい。
【００３８】
枠体１６は、複数の取付部材２２を介して器具本体１４の開口部１４ａに着脱可能に取り付けられる。複数の取付部材２２は、一対の対向部３４において、枠体１６を器具本体１４に取り付ける。この例において、取付部材２２は、ネジである。各取付部材２２は、各対向部３４を各第１側板部３１に締結する。このように、各取付部材２２は、側方から器具本体１４及び枠体１６に取り付けられ、枠体１６を器具本体１４に着脱可能に取り付ける。
【００３９】
取付部材２２は、ネジに限ることなく、枠体１６を器具本体１４に着脱可能に取り付け可能な任意の部材でよい。また、この例では、各対向部３４において枠体１６の取り付けを行っているが、これに限ることなく、例えば、各対向部３５において枠体１６の取り付けを行ってもよい。または、各対向部３４、３５の双方において枠体１６の取り付けを行ってもよい。
【００４０】
各第１側板部３１及び各対向部３４のそれぞれには、取付部材２２を挿通するための取付穴３１ｄ、３４ｂが設けられている。各第１側板部３１の各取付穴３１ｄは、例えば、貫通孔である。各対向部３４の各取付穴３４ｂは、例えば、ネジ穴である。このように、各取付部材２２は、各第１側板部３１と各対向部３４とに挿通され、枠体１６を器具本体１４に取り付ける。各取付部材２２は、例えば、各取付穴３１ｄ及び各取付穴３４ｂを介して各第１側板部３１と各対向部３４とに挿通される。
【００４１】
各第１側板部３１のそれぞれには、長手方向に並ぶ４つの取付穴３１ｄが設けられている（図１（ｂ）参照）。すなわち、この例では、器具本体１４に計８つの取付穴３１ｄが設けられる。各取付穴３４ｂのそれぞれは、各取付穴３１ｄのそれぞれと対向する。従って、この例では、８つの取付部材２２によって、枠体１６が器具本体１４に取り付けられる。各取付穴３１ｄ、３４ｂ及び取付部材２２の数は、８つに限ることなく、枠体１６を器具本体１４に取り付け可能な任意の数でよい。
【００４２】
また、器具本体１４及び枠体１６では、枠体１６を器具本体１４に取り付けた状態において、開口封止部材２０が、器具本体１４と枠体１６とによって押し潰されるように、各取付穴３１ｄ、３４ｂの位置、及び、各対向部３４の高さ（枠本体１６ｍからの長さ）などが調整されている。これにより、例えば、枠体１６と器具本体１４との間の隙間を適切に埋めることができる。
【００４３】
図３（ａ）及び図３（ｂ）は、実施形態に係る照明器具の一部を拡大して模式的に表す部分断面図である。  
図３（ａ）に表したように、光源ユニット１２は、基板４０と、基板４０上に設けられた発光素子４２と、を有する。基板４０は、例えば、長方形の板状である。基板４０の形状は、長方形に限ることなく、任意の形状でよい。基板４０は、実装面４０ａを有する。発光素子４０は、実装面４０ａの上に設けられる。
【００４４】
光源ユニット１２は、例えば、複数の発光素子４２を有する。各発光素子４２は、例えば、長手方向に並べて実装面４０ａの上に設けられる（図５（ｂ）参照）。この例では、２つの発光素子４２が、短手方向に並ぶ。すなわち、長手方向に並ぶ複数の発光素子４２が、２列設けられている。各発光素子４２の配置は、これに限ることなく、任意の配置でよい。また、発光素子４２の数は、１つでもよい。
【００４５】
基板４０には、図示を省略した配線層が設けられている。各発光素子４２のそれぞれは、配線層を介して電気的に接続される。各発光素子４２は、例えば、直列に接続される。各発光素子４２は、例えば、並列に接続してもよい。各発光素子４２の配線は、例えば、直列接続と並列接続との組み合わせでもよい。
【００４６】
発光素子４２には、例えば、発光ダイオード（Light Emitting Diode：ＬＥＤ）が用いられる。発光素子４２は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。
【００４７】
また、図３（ａ）及び図３（ｂ）に表したように、照明器具１０は、カバー２４と、台座２５と、をさらに有する。カバー２４は、器具本体１４内に設けられ、光源ユニット１２を覆う。カバー２４は、複数設けられる。複数のカバー２４は、複数の光源ユニット１２毎に設けられる。従って、この例では、２つの光源ユニット１２に対応した２つのカバー２４が設けられる。各カバー２４は、光源ユニット１２（発光素子４２）から放出される光に対して光透過性である。各カバー２４は、例えば、光拡散性をさらに有してもよい。また、各カバー２４には、絶縁性の材料が用いられる。各カバー２４は、光透過性と絶縁性とを有する。各カバー２４には、例えば、光透過性の樹脂材料が用いられる。
【００４８】
台座２５は、光源ユニット１２を支持する。台座２５は、複数設けられる。複数の台座２５は、複数の光源ユニット１２毎に設けられる。従って、この例では、２つの光源ユニット１２に対応した２つの台座２５が設けられる。
【００４９】
光源ユニット１２は、台座２５を介して底板部３０の内底面３０ａに取り付けられる。これにより、例えば、光源ユニット１２の着脱を容易にすることができる。光源ユニット１２は、例えば、台座２５を介することなく、内底面３０ａに直接取り付けてもよい。
【００５０】
台座２５は、実装面４０ａを内底面３０ａの向く方向に向けて光源ユニット１２を支持する。光源ユニット１２が台座２５に取り付けられた状態において、実装面４０ａの向く方向は、内底面３０ａの向く方向と実質的に同じである。各発光素子４２の光軸は、内底面３０ａに対して実質的に垂直である。これにより、各発光素子４２から放出された光が、開口部１４ａから適切に出射される。
【００５１】
図３（ｂ）に表したように、カバー２４には、凹部２４ａが設けられている。凹部２４ａは、例えば、有底円筒状である。凹部２４ａの底部２４ｂは、基板４０の実装面４０ａに接する。凹部２４ａの底部２４ｂには、取付穴２４ｃが設けられている。基板４０の取付穴２４ｃと対向する位置には、取付穴４０ｂが設けられている。台座２５の取付穴２４ｃ、４０ｂと対向する位置には、取付穴２５ａが設けられている。
【００５２】
照明器具１０は、保持部材２６をさらに有する。この例において、保持部材２６は、ネジである。保持部材２６は、各取付穴２４ｃ、４０ｂ、２５ａに挿通され、カバー２４及び基板４０を台座２５に締結する。このように、保持部材２６は、光源ユニット１２とカバー２４とをともに器具本体１４に保持する。保持部材２６は、光源ユニット１２及びカバー２４を着脱可能に器具本体１４に保持する。
【００５３】
凹部２４ａ及び取付穴２５ａ、４０ｂは、例えば、複数設けられる。複数の凹部２４ａ及び複数の取付穴２５ａ、４０ｂは、長手方向に並べられる。保持部材２６は、複数の凹部２４ａ及び複数の取付穴２５ａ、４０ｂに対応して複数設けられる。これにより、光源ユニット１２及びカバー２４をより適切に器具本体１４に保持することができる。凹部２４ａ、取付穴２５ａ、４０ｂ、及び、保持部材２６の数は、１つでもよい。
【００５４】
凹部２４ａの形状は、上記に限ることなく、カバー２４の保持が可能な任意の形状でよい。保持部材２６は、ネジに限ることなく、光源ユニット１２及びカバー２４を着脱可能に器具本体１４に保持することができる任意の部材でよい。
【００５５】
図４は、実施形態に係る照明器具の一部を拡大して模式的に表す部分断面図である。  
図４に表したように、グローブ１８は、本体部１８ａと、ガラスクロス部１８ｂと、を有する。本体部１８ａは、光透過性を有する。本体部１８ａには、例えば、アクリル樹脂やポリカーボネート樹脂などが用いられる。
【００５６】
ガラスクロス部１８ｂは、本体部１８ａと枠本体１６ｍとの間に設けられる。ガラスクロス部１８ｂは、光透過性を有する。ガラスクロス部１８ｂは、光拡散性をさらに有してもよい。ガラスクロス部１８ｂには、ガラス繊維が用いられている。ガラスクロス部１８ｂの厚さは、本体部１８ａの厚さよりも薄い。ガラスクロス部１８ｂは、不燃性を有する。これにより、グローブ１８において、良好な不燃性を得ることができる。ここで、「不燃性」とは、例えば、日本鉄道車両機械技術協会の定める燃焼試験において、不燃性のカテゴリに該当するもののことを言う。
【００５７】
本体部１８ａ及びガラスクロス部１８ｂは、例えば、図示を省略したネジによって枠本体１６ｍに取り付けられる。この際、ガラスクロス部１８ｂに設けられる取付穴の位置は、枠本体１６ｍに設けられる取付穴の位置と僅かに異なる。例えば、ガラスクロス部１８ｂに対して、長手方向及び短手方向の張力が加わるようにする。すなわち、ガラスクロス部１８ｂを適度に張る。これにより、例えば、ガラスクロス部１８ｂの弛みを抑制することができる。
【００５８】
各対向部３４の枠本体１６ｍ側の端部には、外側に向けて折り曲げられたフランジ部３４ｃが設けられている。同様に、各対向部３５の枠本体１６ｍ側の端部には、外側に向けて折り曲げられたフランジ部（図示は省略）が設けられている。各対向部３５のフランジ部の高さ方向の位置は、フランジ部３４ｃの高さ方向の位置と実質的に同じである。これにより、各対向部３４のフランジ部３４ｃ及び各対向部３５のフランジ部によって、枠本体１６ｍと実質的に平行な四角環状の面を形成する。
【００５９】
グローブ１８は、例えば、枠本体１６ｍと各フランジ部３４ｃとの間に挟まれた状態で保持される。また、グローブ１８と各フランジ部３４ｃとの間には、パッキング３８が設けられている。パッキング３８は、例えば、各フランジ部３４ｃの形状に応じた四角環状であれる。パッキング３８は、弾性を有する。パッキング３８には、例えば、シリコーン樹脂などの弾性を有する樹脂材料が用いられる。パッキング３８は、各フランジ部３４ｃとグローブ１８との間の隙間を埋める。これにより、例えば、器具本体１４の密封性をより高めることができる。
【００６０】
照明器具１０の天井などへの取り付けは、枠体１６を器具本体１４に取り付けた状態で行われる。グローブ１８、各フランジ部３４ｃ、及び、パッキング３８のそれぞれには、貫通孔１６ｂと対向する位置に、貫通孔が設けられている。これにより、各貫通孔に工具などを挿通し、各フランジ部３１ｂ及び各貫通孔３１ｃにおいて照明器具１０を天井などに取り付けることができる。また、これにより、各貫通孔３１ｃに挿通されたネジなどが外部に露出することを抑制することができる。例えば、客室側から見た時のネジなどの視認性を抑えることができる。従って、例えば、照明器具１０の意匠性を高めることができる。
【００６１】
図５（ａ）及び図５（ｂ）は、実施形態に係る照明器具を表す模式図である。  
図５（ａ）は、照明器具１０を器具本体１４側から見た平面図である。  
図５（ｂ）は、照明器具１０の一部を拡大して模式的に表す部分断面図である。  
図５（ａ）及び図５（ｂ）に表したように、照明器具１０は、電源ユニット５０と、中継ケーブル６０と、をさらに有する。
【００６２】
電源ユニット５０は、入力電力を光源ユニット１２に応じた電力に変換し、変換後の電力を出力する。電源ユニット５０は、光源ユニット１２に対して電力を供給する。光源ユニット１２は、電源ユニット５０からの電力供給に応じて各発光素子４２を発光させる。電源ユニット５０は、例えば、各光源ユニット１２に対応して複数設けられる。従って、この例では、２つの光源ユニット１２に対応した２つの電源ユニット５０が設けられる。これに限ることなく、例えば、１つの電源ユニット５０から複数の光源ユニット１２に対して電力を供給してもよい。
【００６３】
各電源ユニット５０は、コネクタや端子台などを介して鉄道車両の電源と電気的に接続される。各電源ユニット５０は、例えば、鉄道車両から供給される交流の入力電力を直流電力に変換する。各電源ユニット５０に供給される入力電力は、直流でもよい。例えば、鉄道車両の非常用電源から直流の入力電力を各電源ユニット５０に供給してもよい。例えば、一方の電源ユニット５０には、鉄道車両の通常電源から交流の入力電力を供給し、他方の電源ユニット５０には、鉄道車両の非常用電源から直流の入力電源を供給してもよい。すなわち、一方の電源ユニット５０は、ＡＣ−ＤＣコンバータとし、他方の電源ユニット５０は、ＤＣ−ＤＣコンバータとしてもよい。
【００６４】
各電源ユニット５０は、器具本体１４の外面に取り付けられる。各電源ユニット５０は、例えば、底板部３０の外面３０ｂに取り付けられる。外面３０ｂは、底板部３０において内底面３０ａと反対側の面である。各電源ユニット５０は、例えば、各第１側板部３１の外面や各第２側板部３２の外面などに取り付けてもよい。各電源ユニット５０は、例えば、ネジなどによって外面３０ｂに着脱可能に取り付けられる。すなわち、各電源ユニット５０は、交換可能に外面３０ｂに取り付けられる。
【００６５】
各電源ユニット５０は、第１接続端子５１を有する。第１接続端子５１は、配線を介して電源本体と電気的に接続されている。この例では、各電源ユニット５０のそれぞれが、２つの第１接続端子５１を有する。電源ユニット５０に設けられる第１接続端子５１の数は、１つでもよいし、３つ以上でもよい。各電源ユニット５０は、変換後の電力を各第１接続端子５１に出力する。
【００６６】
中継ケーブル６０は、第１被接続端子６１と、第２被接続端子６２と、配線部材６４と、を有する。第１被接続端子６１は、配線部材６４の一端に設けられ、第１接続端子５１に接続される。第１被接続端子６１は、第１接続端子５１に機械的電気的に接続される。第１被接続端子６１は、第１接続端子５１に着脱可能に取り付けられる。第２被接続端子６２は、配線部材６４の他端に設けられる。第２被接続端子６２は、配線部材６４を介して第１被接続端子６１と電気的に接続される。
【００６７】
中継ケーブル６０は、例えば、各第１接続端子５１に対応して複数設けられる。従って、この例では、４つの中継ケーブル６０が設けられている。第１接続端子５１の数が１つである場合には、中継ケーブル６０の数も１つでよい。
【００６８】
器具本体１４は、貫通孔３０ｃを有する。貫通孔３０ｃは、電源ユニット５０の取り付け面に設けられる。従って、この例では、貫通孔３０ｃが、底板部３０に設けられる。貫通孔３０ｃは、例えば、各中継ケーブル６０に対応して複数設けられる。中継ケーブル６０の数が１つである場合には、貫通孔３０ｃの数も１つでよい。
【００６９】
各中継ケーブル６０は、各貫通孔３０ｃに挿通される。そして、各中継ケーブル６０は、第１被接続端子６１を器具本体１４の外側に位置させ、第２被接続端子６２を器具本体１４内に位置させた状態で器具本体１４に保持される。
【００７０】
各光源ユニット１２は、第２接続端子５２を有する。第２接続端子５２は、例えば、配線を介して基板４０と電気的に接続されている。第２接続端子５２は、第２被接続端子６２に接続される。第２接続端子５２は、第２被接続端子６２に機械的電気的に接続される。第２接続端子５２は、第２被接続端子６２に着脱可能に取り付けられる。第２接続端子５２は、例えば、各第２被接続端子６２に対応して複数設けられる。従って、この例では、４つの第２接続端子５２が設けられる。各第２接続端子５２が、各第２被接続端子６２に接続される。第２被接続端子６２の数が１つである場合には、第２接続端子５２の数も１つでよい。
【００７１】
このように、各光源ユニット１２は、各中継ケーブル６０を介して各電源ユニット５０と電気的に接続される。各電源ユニット５０から出力された電力は、各中継ケーブル６０を介して各光源ユニット１２に供給される。これにより、各電源ユニット５０からの電力供給に応じて、各光源ユニット１２が点灯する。
【００７２】
照明器具１０は、孔封止部材６６をさらに有する。孔封止部材６６は、貫通孔３０ｃと配線部材６４との間の隙間を埋め、中継ケーブル６０を器具本体１４に保持する。孔封止部材６６は、例えば、各貫通孔３０ｃに対応して複数設けられる。各孔封止部材６６は、各貫通孔３０ｃに設けられる。貫通孔３０ｃの数が１つである場合には、孔封止部材６６の数も１つでよい。
【００７３】
各孔封止部材６６は、例えば、弾性を有する。各孔封止部材６６は、例えば、各貫通孔３０ｃに挿通された状態で弾性変形する。これにより、例えば、貫通孔３０ｃからの虫や塵埃などの侵入を抑制することができる。例えば、器具本体１４の密封性をより高めることができる。
【００７４】
各孔封止部材６６には、例えば、シリコーン樹脂が用いられる。各孔封止部材６６は、いわゆるブッシュである。各孔封止部材６６は、例えば、シーリング材（樹脂接着剤）などでもよい。但し、各孔封止部材６６は、例えば、配線部材６４の揺動などで破損しない程度の適度な剛性を有していることが好ましい。
【００７５】
以上のように、本実施形態に係る照明器具１０では、各対向部３４において、枠体１６を器具本体１４に取り付ける。これにより、例えば、ネジなどの取付部材２２が、枠体１６側から見えてしまうことを抑制することができる。例えば、客室側から照明器具１０を見た時の、取付部材２２の視認性を抑制することができる。これにより、照明器具１０では、例えば、ヒンジを介して枠体を器具本体に取り付ける構成などに比べて、意匠性を向上させることができる。
【００７６】
また、照明器具１０では、例えば、両側方から取付部材２２で枠体１６を器具本体１４に取り付ける。これにより、例えば、開口封止部材２０に加わる押圧力の偏りを抑制することができる。例えば、ヒンジを介して枠体を器具本体に取り付ける構成に比べて、器具本体１４と枠体１６との間に隙間が生じることを適切に抑制することができる。これにより、照明器具１０では、器具本体１４と枠体１６との密封性を向上させることもできる。
【００７７】
また、本実施形態に係る照明器具１０では、中継ケーブル６０を介して光源ユニット１２と電源ユニット５０とを電気的に接続している。これにより、例えば、光源ユニット１２及び電源ユニット５０のそれぞれを個別に交換することができる。これにより、例えば、照明器具１０のメンテナンス性を向上させることができる。例えば、交換の作業性を向上させることができる。例えば、光源ユニット１２と電源ユニット５０とを一体で交換する場合に比べて、交換にともなう費用を抑えることができる。
【００７８】
また、本実施形態に係る照明器具１０では、光源ユニット１２を覆う光透過性のカバー２４を設ける。これにより、例えば、光源ユニット１２を点灯させた状態で光源ユニット１２やグローブ１８などを交換する際に、光源ユニット１２の高電圧部分を指などで触り、感電が発生してしまうことを抑制することができる。例えば、照明器具１０の安全性を高めることができる。
【００７９】
また、本実施形態に係る照明器具１０では、光源ユニット１２とカバー２４とをともに器具本体１４に保持する保持部材２６を設ける。これにより、例えば、カバー２４を設けた場合においても、照明器具１０の組立性の低下を抑制することができる。
【００８０】
さらに、本実施形態に係る照明器具１０では、貫通孔３０ｃと配線部材６４との間の隙間を埋め、中継ケーブル６０を器具本体１４に保持する孔封止部材６６を設ける。これにより、例えば、貫通孔３０ｃからの虫や塵埃などの侵入を抑制することができる。例えば、器具本体１４の密封性をより高めることができる。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１０…照明器具、１２…光源ユニット、１４…器具本体、１６…枠体、１８…グローブ、２０…開口封止部材、２２…取付部材、２４…カバー、２５…台座、２６…保持部材、３０…底板部、３１…第１側板部（側板部）、３２…第２側板部、３４、３５…対向部、３８…パッキング、５０…電源モジュール、５１…第１接続端子、５２…第２接続端子、６０…中継ケーブル、６１…第１被接続端子、６２…第２被接続端子、６４…配線部材、６６…孔封止部材
【図１】
2015204268.tif 000003
【図２】
2015204268.tif 000004
【図３】
2015204268.tif 000005
【図４】
2015204268.tif 000006
【図５】
2015204268.tif 000007